(57)【要約】      （修正有）【課題】組み立てが容易であり、且つ、組み立てた状態を意図的に解除しようとしない場合に解除されにくい箱状体を提供する。【解決手段】シート材が折り曲げられて形成される箱状体Ｘであって、前記シート材の一部同士が重なるように折り返され、当該一部同士の間に形成された収容部と、当該収容部への挿入が可能に形成された挿入部とを有する固定機構を備え、前記固定機構は、前記挿入部から挿入方向と直交する方向に突出した突出部と、前記折り返された箇所の一部に形成された切り込み部と、を有し、前記挿入により箱状に形成されるとともに、前記突出部が前記切り込み部に嵌ることで挿入された前記挿入部の抜けが抑制される。【選択図】図６
0003225735.tif 000002
【実用新案登録請求の範囲】
【請求項１】
シート材が折り曲げられて形成される箱状体であって、
前記シート材の一部同士が重なるように折り返され、当該一部同士の間に形成された収容部と、当該収容部への挿入が可能に形成された挿入部と、を有する固定機構を備え、
前記固定機構は、
前記挿入部から挿入方向と直交する方向に突出した突出部と、前記折り返された箇所の一部に形成された切り込み部と、を有し、
前記挿入により箱状に形成されるとともに、前記突出部が前記切り込み部に嵌ることで挿入された前記挿入部の抜けが抑制されることを特徴とする箱状体。
【請求項２】
前側寄りの第１上面部と後側寄りの第２上面部により上面が形成される請求項１に記載の箱状体であって、
前記第１上面部および前記第２上面部の一方に設けられた前記収容部に、他方に設けられた前記挿入部を挿入することにより、箱状に形成されることを特徴とする箱状体。
【請求項３】
前記上面の左右両端それぞれに、前記固定機構が設けられることを特徴とする請求項２に記載の箱状体。
【請求項４】
左右それぞれの前記固定機構は、互いに左右方向に対向する位置に配置されることを特徴とする請求項３に記載の箱状体。
【請求項５】
ティッシュペーパーの束を収容する請求項３または請求項４に記載の箱状体であって、
左右それぞれの前記固定機構の間に、前記ティッシュペーパーの取り出し口を設けたことを特徴とする箱状体。
【請求項６】
前記取り出し口の上方に、互いに前後方向に対向する持ち手部が設けられることを特徴とする請求項５に記載の箱状体。
【請求項７】
前記突出部は、挿入側に形成されるアール部を有することを特徴とする請求項１から請求項６のいずれか１項に記載の箱状体。
【請求項８】
前記収容部は、前記一部同士の接着により形成されることを特徴とする請求項１から請求項７のいずれか１項に記載の箱状体。
【考案の詳細な説明】
【技術分野】
【０００１】
本考案は、シート材が折り曲げられて形成される箱状体に関する。
【背景技術】
【０００２】
従来、例えばティッシュペーパーを収容する紙製の箱など、シート材が折り曲げられて形成される箱状体が広く利用されている。このような箱状体の一例は、特許文献１に開示されている。
【０００３】
特許文献１の箱状体では、箱状体の組み立て時には、天面板を底面板の上方に倒し、差込片を前壁面板の内側に差し込み、差込片の２つの係合切れ込み部の間の部分を外側に出すようにする。これにより、前壁面板が係合切れ込み部の間の部分と外側の部分で挟まれ、蓋をした状態が簡易的にロックされる。
【先行技術文献】
【特許文献】
【０００４】
【特許文献１】特開２０１５−１０１４０８号公報
【考案の概要】
【考案が解決しようとする課題】
【０００５】
しかしながら、上記特許文献１の箱状体では、箱状体に組み立てた状態を意図的に解除しようとしない場合でも、ロック状態が容易に解除される虞があり、例えば、箱状体にティッシュペーパー等を詰め替え可能に収容して利用するなどの場合に、不便である問題があった。
【０００６】
上記問題点に鑑み、本考案は、組み立てが容易であり、且つ、組み立てた状態を意図的に解除しようとしない場合に解除されにくい箱状体を提供することを目的とする。
【課題を解決するための手段】
【０００７】
上記目的を達成するために本考案の箱状体は、シート材が折り曲げられて形成される箱状体であって、前記シート材の一部同士が重なるように折り返され、当該一部同士の間に形成された収容部と、当該収容部への挿入が可能に形成された挿入部と、を有する固定機構を備え、前記固定機構は、前記挿入部から挿入方向と直交する方向に突出した突出部と、前記折り返された箇所の一部に形成された切り込み部と、を有し、前記挿入により箱状に形成されるとともに、前記突出部が前記切り込み部に嵌ることで挿入された前記挿入部の抜けが抑制される箱状体としている（第１の構成）。
【０００８】
また、前側寄りの第１上面部と後側寄りの第２上面部により上面が形成される上記第１の構成の箱状体であって、前記第１上面部および前記第２上面部の一方に設けられた前記収容部に、他方に設けられた前記挿入部を挿入することにより、箱状に形成される箱状体としてもよい（第２の構成）。
【０００９】
また、上記第２の構成において、前記上面の左右両端それぞれに、前記固定機構が設けられる構成としてもよい（第３の構成）。また、上記第３の構成において、左右それぞれの前記固定機構は、互いに左右方向に対向する位置に配置される構成としてもよい（第４の構成）。
【００１０】
また、ティッシュペーパーの束を収容する第３または第４の構成の箱状体であって、左右それぞれの前記固定機構の間に、前記ティッシュペーパーの取り出し口を設けた箱状体としてもよい（第５の構成）。また、上記第５の構成において、前記取り出し口の上方に、互いに前後方向に対向する持ち手部が設けられる構成としてもよい（第６の構成）。
【００１１】
また、上記第１から第６のいずれかの構成において、前記突出部は、挿入側に形成されるアール部を有する構成としてもよい（第７の構成）。また、上記第１から第７のいずれかの構成において、前記収容部は、前記一部同士の接着により形成される構成としてもよい（第８の構成）。
【考案の効果】
【００１２】
本考案の箱状体によると、組み立てが容易であり、且つ、組み立てた状態を意図的に解除しようとしない場合に解除され難くすることが可能となる。
【図面の簡単な説明】
【００１３】
【図１】本考案の一実施形態に係る箱状体を形成するシート材の展開した状態を示す平面図である。
【図２】箱状体に組み立てる前の初期状態を示す斜視図である。
【図３】箱状体に組み立てる組み立て工程における第１途中状態を示す斜視図である。
【図４】箱状体に組み立てる組み立て工程における第２途中状態を示す斜視図である。
【図５】箱状体に組み立てる組み立て工程における第３途中状態を示す斜視図である。
【図６】完成された箱状体を示す斜視図である。
【図７】完成された箱状体にティッシュペーパーを収容した状態を示す斜視図である。
【図８】挿入部を収容部に挿入する様子を示す図である。
【図９】変形例に係る挿入部を収容部に挿入する様子を示す図である。
【考案を実施するための形態】
【００１４】
以下に本考案の実施形態について図面を参照して説明する。
【００１５】
＜シート材の構成＞
図１は、本考案の一実施形態に係る箱状体を形成するシート材Ｓの展開した状態を示す平面図であり、シート材Ｓの箱状体を組み立てた場合の収容される側（内側）の面を紙面手前側とする図である。また図１では、「左右方向」および「前後方向」を示している。なお、本願明細書における「左右方向」「前後方向」「上下方向」は、互いに直交する方向を表すために便宜的に定めたものに過ぎない。シート材Ｓは、組み立てて箱状体にすることができるものであり、この箱状体はティッシュペーパーを収容する箱などに好適である。
【００１６】
以下、図１を参照して、展開状態でのシート材Ｓの構成について述べる。図１に示すように、シート材Ｓは、底面部１と、右側面部２と、第１折り曲げ片３と、左側面部４と、第２折り曲げ片５と、前側面部６と、後側面部７と、第１接続部８と、第２接続部９と、第３接続部１０と、第４接続部１１と、第１上面部１２と、第１持ち手部１３と、第２上面部１４と、第２持ち手部１５と、第１折り返し片１６と、第２折り返し片１７と、を一体的に有している。シート材Ｓは、例えば紙により形成される。
【００１７】
長方形状の底面部１の右側辺を第１折り曲げ線Ｌ１として、右側面部２は、第１折り曲げ線Ｌ１を介して底面部１の右側に連設される。長方形状の右側面部２の右側辺を第２折り曲げ線Ｌ２として、第１折り曲げ片３は、第２折り曲げ線Ｌ２を介して右側面部２の右側に連設される。
【００１８】
底面部１の左側辺を第３折り曲げ線Ｌ３として、左側面部４は、第３折り曲げ線Ｌ３を介して底面部１の左側に連設される。長方形状の左側面部４の左側辺を第４折り曲げ線Ｌ４として、第２折り曲げ片５は、第４折り曲げ線Ｌ４を介して左側面部４の左側に連設される。
【００１９】
底面部１の前側辺を第５折り曲げ線Ｌ５として、前側面部６は、第５折り曲げ線Ｌ５を介して底面部１の前側に連設される。長方形状の前側面部６の前側辺を第６折り曲げ線Ｌ６として、第１上面部１２は、第６折り曲げ線Ｌ６を介して前側面部６の前側に連設される。
【００２０】
底面部１の後側辺を第７折り曲げ線Ｌ７として、後側面部７は、第７折り曲げ線Ｌ７を介して底面部１の後側に連設される。長方形状の後側面部７の後側辺を第８折り曲げ線Ｌ８として、第２上面部１４は、第８折り曲げ線Ｌ８を介して後側面部７の後側に連設される。
【００２１】
前側面部６の右側辺を第９折り曲げ線Ｌ９とし、右側面部２の前側辺を第１０折り曲げ線Ｌ１０として、第１接続部８は、第９折り曲げ線Ｌ９と第１０折り曲げ線Ｌ１０とを接続する。第１接続部８は、後述の組み立て時に右側面部２を立ち上げる機能を有する立上げ部８Ａと、接着部８Ｂと、を有する。第１接続部８に前側且つ右側に向かって延びて設けられる第１１折り曲げ線Ｌ１１を境界として第９折り曲げ線Ｌ９側に接着部８Ｂが、第１０折り曲げ線Ｌ１０側に立上げ部８Ａが配置される。接着部８Ｂには、略直角三角形状に糊が塗布される第１糊面Ｓ１が設けられる。
【００２２】
前側面部６の左側辺を第１２折り曲げ線Ｌ１２とし、左側面部４の後側辺を第１３折り曲げ線Ｌ１３として、第２接続部９は、第１２折り曲げ線Ｌ１２と第１３折り曲げ線Ｌ１３とを接続する。第２接続部９は、後述の組み立て時に左側面部４を立ち上げる機能を有する立上げ部９Ａと、接着部９Ｂと、を有する。第２接続部９に前側且つ左側に向かって延びて設けられる第１４折り曲げ線Ｌ１４を境界として第１２折り曲げ線Ｌ１２側に接着部９Ｂが、第１３折り曲げ線Ｌ１３側に立上げ部９Ａが配置される。接着部９Ｂには、略直角三角形状に糊が塗布される第２糊面Ｓ２が設けられる。
【００２３】
後側面部７の右側辺を第１５折り曲げ線Ｌ１５とし、右側面部２の後側辺を第１６折り曲げ線Ｌ１６として、第３接続部１０は、第１５折り曲げ線Ｌ１５と第１６折り曲げ線Ｌ１６とを接続する。第３接続部１０は、後述の組み立て時に右側面部２を立ち上げる機能を有する立上げ部１０Ａと、接着部１０Ｂと、を有する。第３接続部１０に後側且つ右側に向かって延びて設けられる第１７折り曲げ線Ｌ１７を境界として第１５折り曲げ線Ｌ１５側に接着部１０Ｂが、第１６折り曲げ線Ｌ１６側に立上げ部１０Ａが配置される。接着部１０Ｂには、略直角三角形状に糊が塗布される第３糊面Ｓ３が設けられる。
【００２４】
後側面部７の左側辺を第１８折り曲げ線Ｌ１８とし、左側面部４の後側辺を第１９折り曲げ線Ｌ１９として、第４接続部１１は、第１８折り曲げ線Ｌ１８と第１９折り曲げ線Ｌ１９とを接続する。第４接続部１１は、後述の組み立て時に左側面部４を立ち上げる機能を有する立上げ部１１Ａと、接着部１１Ｂと、を有する。第４接続部１１に後側且つ左側に向かって延びて設けられる第２０折り曲げ線Ｌ２０を境界として第１８折り曲げ線Ｌ１８側に接着部１１Ｂが、第１９折り曲げ線Ｌ１９側に立上げ部１１Ａが配置される。接着部１１Ｂには、略直角三角形状に糊が塗布される第４糊面Ｓ４が設けられる。
【００２５】
前側面部６の前側辺を第６折り曲げ線Ｌ６として、第１上面部１２は、第６折り曲げ線Ｌ６を介して前側面部６の前側に連設される。第１上面部１２は、右前端部として第１挿入部１２Ａを有し、左前端部として第２挿入部１２Ｂを有する。また、第１持ち手部１３は、第１上面部１２の前側端に位置する第２１折り曲げ線Ｌ２１から前側に突出する。
【００２６】
後側面部７の後側辺を第８折り曲げ線Ｌ８として、第２上面部１４は、第８折り曲げ線Ｌ８を介して後側面部７の後側に連設される。また、第２持ち手部１５は、第２上面部１４の後側端に位置する第２２折り曲げ線Ｌ２２から後側に突出する。
【００２７】
第２上面部１４の右端において前後に延びる線を第２３折り曲げ線Ｌ２３として、第１折り返し片１６は、第２３折り曲げ線Ｌ２３を介して第２上面部１４の右側に連設される。第２上面部１４は、第１折り返し片１６の第２３折り曲げ線Ｌ２３に沿った折り返しによって第１折り返し片１６と重なる第１重なり部１４Ａを右端部に有する。第１折り返し片１６には、糊が塗布される第５糊面Ｓ５が設けられる。
【００２８】
また、第２３折り曲げ線Ｌ２３上には、第１切り込み部Ｃ１が形成される。ただし、第１切り込み部Ｃ１は、図１のように展開状態では、孔形状となる。
【００２９】
第２上面部１４の左端において前後に延びる線を第２４折り曲げ線Ｌ２４として、第２折り返し片１７は、第２４折り曲げ線Ｌ２４を介して第２上面部１４の左側に連設される。第２上面部１４は、第２折り返し片１７の第２４折り曲げ線Ｌ２４に沿った折り返しによって第２折り返し片１７と重なる第２重なり部１４Ｂを左端部に有する。第２折り返し片１７には、糊が塗布される第６糊面Ｓ６が設けられる。
【００３０】
また、第２４折り曲げ線Ｌ２４上には、第２切り込み部Ｃ２が形成される。ただし、第２切り込み部Ｃ２は、図１のように展開状態では、孔形状となる。
【００３１】
＜組み立て前の状態＞
上記のような展開状態のシート材Ｓは、まず、次のような折り曲げ工程によって箱状体を組み立てる前の状態（以下、初期状態）とされる。
【００３２】
ここでは、第１折り曲げ線Ｌ１、第９折り曲げ線Ｌ９、および第１５折り曲げ線Ｌ１５に沿った折り曲げにより、右側面部２が底面部１側に、第１接続部８が前側面部６側に、第３接続部１０が後側面部７側にそれぞれ折り返される。これにより、第１糊面Ｓ１に塗布された糊が前側面部６の接着面Ｂ１と接着され、第３糊面Ｓ３に塗布された糊が後側面部７の接着面Ｂ３と接着される。
【００３３】
第３折り曲げ線Ｌ３、第１２折り曲げ線Ｌ１２、および第１８折り曲げ線Ｌ１８に沿った折り曲げにより、左側面部４が底面部１側に、第２接続部９が前側面部６側に、第４接続部１１が後側面部７側にそれぞれ折り返される。これにより、第２糊面Ｓ２に塗布された糊が前側面部６の接着面Ｂ２と接着され、第４糊面Ｓ４に塗布された糊が後側面部７の接着面Ｂ４と接着される。
【００３４】
また、第１折り返し片１６は、第２３折り曲げ線Ｌ２３に沿った折り曲げにより、第２上面部１４側に折り返される。これにより、第５糊面Ｓ５に塗布された糊が第２上面部１４の接着面Ｂ５と接着される。第２折り返し片１７は、第２４折り曲げ線Ｌ２４に沿った折り曲げにより、第２上面部１４側に折り返される。これにより、第６糊面Ｓ６に塗布された糊が第２上面部１４の接着面Ｂ６と接着される。
【００３５】
このような折り曲げ工程により、図２に示すような初期状態が形成される。箱状体を利用するエンドユーザには、例えば、このような初期状態での製品が供給される。この場合、エンドユーザは、後述する組み立て工程により初期状態から箱状体を組み立てる。
【００３６】
上述した第１折り返し片１６の折り返しにより、第１折り返し片１６と第１重なり部１４Ａが重なる。これにより、図２に示すような前後に延びる空洞部としての第１収容部Ａ１が形成される。また、上述した第２折り返し片１７の折り返しにより、第２折り返し片１７と第２重なり部１４Ｂが重なる。これにより、図２に示すような前後に延びる空洞部としての第２収容部Ａ２が形成される。
【００３７】
すなわち、シート材Ｓの一部同士が重なるように折り返され、当該一部同士の間に収容部Ａ１，Ａ２が形成される。また、第１収容部Ａ１には、後述の組み立て工程において、第１挿入部１２Ａが挿入され、第２収容部Ａ２には、後述の組み立て工程において、第２挿入部１２Ｂが挿入される。すなわち、挿入部１２Ａ，１２Ｂは、収容部Ａ１，Ａ２への挿入が可能に形成される。
【００３８】
＜箱状体の組み立て＞
次に、上述したような初期状態から箱状体へ組み立てる組み立て工程について述べる。まず、図２の示すような初期状態において、図３に示すように前側面部６および後側面部７を上方へそれぞれ第５折り曲げ線Ｌ５および第７折り曲げ線Ｌ７に沿って折り曲げて起立させる。すると、図３に示すように、立上げ部８Ａ，１０Ａの作用により右側面部２が起立し、立上げ部９Ａ，１１Ａの作用により左側面部４が起立する。なお、図３においては、第１収容部Ａ１および第２収容部Ａ２が空洞であることが見て取れる。
【００３９】
また、図３に示すように、第１折り曲げ片３は第２折り曲げ線Ｌ２に沿って折り曲げ、第２折り曲げ片５は第４折り曲げ線Ｌ４に沿って折り曲げておく。
【００４０】
図４は、図３の状態よりもさらに前側面部６および後側面部７を起立させた状態であり、これにより右側面部２および左側面部４もさらに起立している。図５（図４と前後左右方向を逆としている）は、図４の状態よりもさらに前側面部６および後側面部７を起立させた状態であり、これにより右側面部２および左側面部４もさらに起立している。なお、図５の状態では、図４の状態よりも、第１上面部１２を第６折り曲げ線Ｌ６に沿って折り曲げ、第２上面部１４を第８折り曲げ線Ｌ８に沿って折り曲げている。
【００４１】
そして、第１挿入部１２Ａを第１収容部Ａ１に、第２挿入部１２Ｂを第２収容部２にそれぞれ差し込むことで、図６に示すような箱状体Ｘが完成する。
【００４２】
ここで、図８の上段に、第１挿入部１２Ａを第１収容部Ａ１に挿入する様子を示す。
図８の上段に示すように、第１挿入部１２Ａから挿入方向（矢印方向）と直交する方向に突出した第１突出部Ｔ１が形成される。また、第１切り込み部Ｃ１は、第１折り返し片１６が折り返された箇所（第２３折り曲げ線Ｌ２３）の一部に形成される。
【００４３】
そして、第１挿入部１２Ａを第１収容部Ａ１に挿入すると、第１突出部Ｔ１の挿入側に形成されるアール部Ｒが第１収容部Ａ１に接触するが、アール部Ｒの曲線形状によって第１挿入部１２Ａは容易に押し込むことができ、図８の下段に示すような状態となる。この状態では、第１突出部Ｔ１が第１切り込み部Ｃ１に嵌る。これにより、挿入された第１挿入部１２Ａの抜けが抑制される。すなわち、図８の下段では、第１挿入部１２Ａが第１収容部Ａ１に係止された状態である。なお、第１突出部Ｔ１と第１切り込み部Ｃ１は挿入方向（図８の紙面での左右方向）の長さがほぼ同一であり、図８の下段に示す状態では、第１挿入部１２Ａと第１収容部Ａ１の間で当該挿入方向の位置ずれは生じ難い。
【００４４】
このようなことは、第２挿入部１２Ｂの第２収容部Ａ２への挿入についても同様であり、当該挿入により、第２挿入部１２Ｂに形成された第２突出部Ｔ２は第２切り込み部Ｃ２に嵌った状態となり（図６）、第２挿入部１２Ｂの抜けが抑制される。
【００４５】
すなわち、箱状体Ｘは、第１収容部Ａ１、第１挿入部１２Ａ、第１切り込み部Ｃ１、および第１突出部Ｔ１を有する第１固定機構ＦＸ１と、第２収容部Ａ２、第２挿入部１２Ｂ、第２切り込み部Ｃ２、および第２突出部Ｔ２を有する第２固定機構ＦＸ２と、を備える（図６）。これにより、後述のように例えば箱状体Ｘをティッシュペーパーを収容して利用するなどの場合に、箱状体Ｘを組み立てた状態を意図的に解除しようとしなければ、固定機構ＦＸ１，ＦＸ２により、解除はされにくい。すなわち、箱状体Ｘは、組み立ては容易であり、且つ、組み立てた状態を意図的に解除しようとしない場合に解除されにくい。
【００４６】
また、図６に示すように、箱状体Ｘでは、前側寄りの第１上面部１２と後側寄りの第２上面部１４により上面が形成される。そして、上記上面の左右両端それぞれに、固定機構ＦＸ１，ＦＸ２が設けられる。これにより、箱状体Ｘを組み立てた状態をより確実に維持することができる。
【００４７】
図６に示すように、箱状体Ｘでは、固定機構ＦＸ１，ＦＸ２は、互いに左右方向に対向する位置に配置される。これにより、第１挿入部１２Ａと第２挿入部１２Ｂの一方が第１収容部Ａ１、第２収容部Ａ２の一方から抜けようとしても、他方の挿入部は他方の収容部に入り込む方向へ移動しようとするので、固定機構ＦＸ１，ＦＸ２の両方の固定が解除されることは起こりにくい。
【００４８】
＜ティッシュペーパーの箱としての利用＞
次に、箱状体Ｘの利用形態の一例として、詰替用のティッシュペーパーの束（上から一枚ずつ取出し可能に積層された複数枚のティッシュペーパー）を収容する箱としての利用について述べる。
【００４９】
まず、ユーザは、初期状態（図２）から箱状体Ｘへ組み立てる組み立て工程の途中で、ティッシュペーパーの束を組み立て途中の状態の箱状体に収容させる。例えば、前側面部６および後側面部７を完全に起立させた状態で、第１上面部１２および第２上面部１４を前側面部６および後側面部７に対して折り曲げない状態で、ティッシュペーパーの束を収容する。
【００５０】
ここで好ましくは、ティッシュペーパーの束の上側１枚を予め上方へ引き出しておき、当該ティッシュペーパーの束を組み立て途中の状態の箱状体に収容させると良い。そして、第１上面部１２および第２上面部１４を折り曲げて、第１固定機構ＦＸ１、第２固定機構ＦＸ２による固定を行う。
【００５１】
これにより、図７に示すように、箱状体Ｘの内部にティッシュペーパーの束が収容された状態となる。また、第１固定機構ＦＸ１と第２固定機構ＦＸ２との間に形成される取り出し口ＯＰから、予め引き出しておいた１枚のティッシュペーパーＰが上方へ延びる状態となる。このとき、図７に示すように、第１持ち手部１３は第２１折り曲げ線Ｌ２１に沿って折り曲げられ、第２持ち手部１５は第２２折り曲げ線Ｌ２２に沿って折り曲げられ、第１持ち手部１３と第２持ち手部１５は、互いに前後方向に対向する。ティッシュペーパーＰは、取り出し口ＯＰの上方で第１持ち手部１３と第２持ち手部１５により挟まれる。これにより、ティッシュペーパーＰは起立した状態を維持され、ユーザはティッシュペーパーＰを手で引き出しやすくなる。また更に、ユーザは箱状体Ｘを持ち運びする際に、第１および第２持ち手部１３、１５を指で摘まむようにして容易に箱状体Ｘを持つことができる。
【００５２】
第１固定機構ＦＸ１と第２固定機構ＦＸ２を構成しようとすると、必然的に固定機構ＦＸ１，ＦＸ２の間に開口部が形成されるので、この開口部をティッシュペーパーＰを取り出す取り出し口ＯＰとして利用できる。
【００５３】
なお、箱状体Ｘに収容されたティッシュペーパーの束を使い切った場合は、意図的に固定機構ＦＸ１，ＦＸ２を解除すれば、再び新たなティッシュペーパーの束を箱状体Ｘに収容することができ、箱状体Ｘをティッシュペーパーの箱として再利用することが可能である。そのため箱状体Ｘは、ティッシュペーパーの箱として繰返し利用することができ、外側の面に絵柄や模様等のデザインを施しておけば、当該デザインを楽しむことのできるティッシュペーパーの箱として長く利用可能である。
【００５４】
＜突出部の変形例＞
図９は、第１挿入部１２Ａに形成される第１突出部Ｔ１の変形例を示す図であり、先述した図８に対応する図である。図９に示すように、第１突出部Ｔ１の挿入側において、挿入方向に垂直な方向に起立する壁Ｗ１と、当該壁Ｗ１に連設される面取り部Ｗ２とが形成されてもよい。
【００５５】
＜その他＞
なお、本考案の構成は、上記実施形態のほか、考案の主旨を逸脱しない範囲で種々の変更を加えることが可能である。本考案の技術的範囲は、上記実施形態の説明ではなく、実用新案登録請求の範囲によって示されるものであり、実用新案登録請求の範囲と均等の意味および範囲内に属する全ての変更が含まれると理解されるべきである。
【符号の説明】
【００５６】
１      底面部
２      右側面部
３      第１折り曲げ片
４      左側面部
５      第２折り曲げ片
６      前側面部
７      後側面部
８      第１接続部
８Ａ    立上げ部
８Ｂ    接着部
９      第２接続部
９Ａ    立上げ部
９Ｂ    接着部
１０    第３接続部
１０Ａ  立上げ部
１０Ｂ  接着部
１１    第４接続部
１１Ａ  立上げ部
１１Ｂ  接着部
１２    第１上面部
１２Ａ  第１挿入部
１２Ｂ  第２挿入部
１３    第１持ち手部
１４    第２上面部
１４Ａ  第１重なり部
１４Ｂ  第２重なり部
１５    第２持ち手部
１６    第１折り返し片
１７    第２折り返し片
Ｓ      シート材
Ｃ１    第１切り込み部
Ｃ２    第２切り込み部
Ｔ１    第１突出部
Ｔ２    第２突出部
Ｒ      アール部
Ｗ１    壁
Ｗ２    面取り部
Ｓ１〜Ｓ６    第１〜第６糊面
Ｂ１〜Ｂ６    接着面
Ｌ１〜Ｌ２４  第１〜第２４折り曲げ線
Ａ１    第１収容部
Ａ２    第２収容部
Ｘ      箱状体
ＦＸ１  第１固定機構
ＦＸ２  第２固定機構
ＯＰ    取り出し口
Ｐ      ティッシュペーパー
【図１】
0003225735.tif 000003
【図２】
0003225735.tif 000004
【図３】
0003225735.tif 000005
【図４】
0003225735.tif 000006
【図５】
0003225735.tif 000007
【図６】
0003225735.tif 000008
【図７】
0003225735.tif 000009
【図８】
0003225735.tif 000010
【図９】
0003225735.tif 000011